【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
デジタル・システムにおいて、データ信号を第１クロック・ドメインから第２クロック・ドメインに転送する機構であって、
該第１クロック・ドメインは、該第２クロック・ドメイン内の第２クロックの周波数よりも低い周波数の第１クロックを有し、
該機構は、
該データ信号を該第１クロック・ドメインから該第２クロック・ドメインに転送し、
所定の遷移が、該第１クロックで、該データ信号転送後の所定期間内に発生するかどうかを、該第２クロックからクロック供給される検出手段を用いて検出し、そして、
該検出手段が、該第１クロックでの該所定の遷移を該所定期間内に検出した場合、該データ信号を該第１クロック・ドメインから該第２クロック・ドメインへ再度転送する、
ように構成されていることを特徴とする機構。
【請求項２】
前記検出される所定の遷移が、正の遷移であること、を特徴とする請求項１に記載の機構。
【請求項３】
前記データ信号が前記第１クロック・ドメインから前記第２クロック・ドメインへ前記検出手段を経由して転送されないこと、を特徴とする請求項１又は２に記載の機構。
【請求項４】
前記第１クロック・ドメインが第１バスを含み、前記第２クロック・ドメインが第２バスを含み、かつ、データは、該第１バスから該第２バスに最初に転送され、かつ、必要と判断された場合引き続いて転送されること、を特徴とする請求項１、２、又は３に記載の機構。
【請求項５】
前記データ・バスは、少なくとも８ビットであること、を特徴とする請求項４に記載の機構。
【請求項６】
前記検出手段は、エッジ検出器を含むこと、を特徴とする、前記いずれかの請求項に記載の機構。
【請求項７】
前記検出は、前記第２クロックに基づく前記第１クロックの離散的サンプリングを含むこと、を特徴とする、前記いずれかの請求項に記載の機構。
【請求項８】
前記検出手段は、前記離散的サンプリングの複数のステップをカウントする手段を有すること、を特徴とする、請求項７に記載の機構。
【請求項９】
前記離散的サンプリングの周波数が前記第２クロックの周波数に等しいこと、を特徴とする請求項７又は８に記載の機構。
【請求項１０】
前記所定期間は、前記第２クロックの１〜１６サイクルの間にあること、を特徴とする、前記いずれかの請求項に記載の機構。
【請求項１１】
前記検出手段は、前記所定期間内のサイクル数をカウントする手段を備えること、を特徴とする、請求項１０に記載の機構。
【請求項１２】
前記カウント手段は、前記第２クロックによってクロック供給されること、を特徴とする、請求項８又は１１項に記載の機構。
【請求項１３】
前記検出は、前記第２クロックの立ち上がりエッジで行われること、を特徴とする、前記いずれかの請求項に記載の機構。
【請求項１４】
前記第２クロックの周波数は、前記第１クロックの周波数の少なくとも４倍の周波数であること、を特徴とする、前記いずれかの請求項に記載の機構。
【請求項１５】
前記検出手段は、入力として前記第１クロックを有すること、を特徴とする、前記いずれかの請求項に記載の機構。
【請求項１６】
前記検出手段は、フリップフロップを含むこと、を特徴とする、前記いずれかの請求項に記載の機構。
【請求項１７】
前記所定期間を開始するための手段を含むこと、を特徴とする、前記いずれかの請求項に記載の機構。
【請求項１８】
前記データ信号を記憶する手段を備えること、を特徴とする、前記いずれかの請求項に記載の機構。
【請求項１９】
前記最初に転送されたデータ信号が前記第２クロック・ドメインによって読み取られることを防止する手段を備えること、を特徴とする、前記いずれかの請求項に記載の機構。
【請求項２０】
デジタル・システムにおいてデータ信号を第１クロック・ドメインから第２クロック・ドメインへ転送するための方法であって、
該第１クロック・ドメインが該第２クロック・ドメイン内の第２クロックの周波数よりも低い周波数の第１クロックを有し、
該データ信号を該第１クロック・ドメインから該第２クロック・ドメインに転送するステップと、
所定の遷移が該第１クロックで発生するかどうかを、該第２クロックからクロック供給される検出手段を用いて、該データ信号転送後の所定期間中、検出するステップと、そして、
該検出手段が該第１クロックでの該所定の遷移を該所定期間内に検出した場合に、該データ信号を該第１クロック・ドメインから該第２クロック・ドメインへ、再度転送するステップと、
を含んでいることを特徴とする方法。
【請求項２１】
前記検出される所定の遷移は、正の遷移であること、を特徴とする、請求項２０に記載の方法。
【請求項２２】
前記データ信号を前記第１クロック・ドメインから、前記第２クロック・ドメインへ前記検出手段を通して転送することのないステップを含むこと、を特徴とする、請求項２０又は２１に記載の方法。
【請求項２３】
前記第１クロック・ドメインは第１バスを含み、前記第２クロック・ドメインは第２バスを含み、該第１バスから該第２バスへ、データを最初に転送し、必要とは判断される場合、引き続き転送するステップを含むこと、を特徴とする、請求項２０、２１又は２２に記載の方法。
【請求項２４】
前記データ・バスは、少なくとも８ビットであること、を特徴とする、請求項２３に記載の方法。
【請求項２５】
前記検出手段は、エッジ検出器を含むこと、を特徴とする、請求項２０〜２４のいずれかに記載の方法。
【請求項２６】
前記検出は、前記第２クロックに基づく前記第１クロックの離散的サンプリングを含むこと、を特徴とする、請求項２０〜２５のいずれかに記載の方法。
【請求項２７】
前記検出ステップは、前記離散的サンプリングの複数のステップをカウントすること、を特徴とする、請求項２６に記載の方法。
【請求項２８】
前記離散的サンプリングの周波数が前記第２クロックの周波数に等しいこと、を特徴とする、請求項２６又は２７に記載の方法。
【請求項２９】
前記所定期間は、前記第２クロックの１〜１６サイクルの間にあること、を特徴とする、請求項２０〜２８のいずれかに記載の方法。
【請求項３０】
前記検出ステップは、前記所定期間内のサイクル数をカウントするステップを含むこと、を特徴とする、請求項２９に記載の方法。
【請求項３１】
前記カウントするステップは、前記第２クロックによってクロック供給されること、を特徴とする、請求項２７又は３０に記載の方法。
【請求項３２】
前記検出は、前記第２クロックの立ち上がりエッジで行われること、を特徴とする、請求項２０〜３１のいずれかに記載の方法。
【請求項３３】
前記第２クロックの周波数は、前記第１クロックの周波数の、少なくとも４倍の周波数であること、を特徴とする、請求項２０〜３２のいずれかに記載の方法。
【請求項３４】
前記検出手段は、入力として前記第１クロックを有していること、を特徴とする、請求項２０〜３３のいずれかに記載の方法。
【請求項３５】
前記検出手段はフリップフロップを含むこと、を特徴とする、請求項２０〜３４のいずれかに記載の方法。
【請求項３６】
前記所定期間を開始するステップを含むこと、を特徴とする、請求項２０〜３５のいずれかに記載の方法。
【請求項３７】
前記データ信号を記憶するステップを含むこと、を特徴とする、請求項２０〜３６のいずれかに記載の方法。
【請求項３８】
前記最初に転送されたデータ信号が前記第２クロック・ドメインによって読みだされることを防ぐステップを含むこと、を特徴とする、請求項２０から３７のいずれかに記載の方法。